(57)【要約】【課題】低負荷領域での運転が続くような場合であっても、部品を追加することなく、少なくとも一つの排気通路で酸化触媒を活性化させてフィルタの再生を可能とする。【解決手段】制御装置は、再生モード中に（Ｓ１００にてＹＥＳ）、エンジンの運転領域が低負荷運転領域であって（Ｓ１０２にてＹＥＳ）、かつ、排気の温度がしきい値以下である場合には（Ｓ１０４にてＹＥＳ）、偏差噴射処理を実行するステップ（Ｓ１０６）と、エンジンの運転領域が低負荷運転領域でない場合（Ｓ１０２にてＮＯ）、あるいは、排気の温度がしきい値よりも高い場合（Ｓ１０４にてＮＯ）、同量噴射処理を実行するステップ（Ｓ１０８）とを含む、制御処理を実行する。【選択図】図２
2019019713.tif 000002
【特許請求の範囲】
【請求項１】
エンジン本体に設けられる複数の気筒群にそれぞれ接続される互いに独立した複数の排気通路と、
前記複数の排気通路のそれぞれに設けられ、前記排気通路内を流通する排気に含まれる粒子状物質を捕集するフィルタと前記排気の流れに対して前記フィルタよりも上流側に設けられる酸化触媒とを有する排気浄化装置と、
前記複数の気筒群のそれぞれに燃料を噴射する複数の燃料噴射装置と、
前記複数の燃料噴射装置を制御する制御装置とを備え、
前記制御装置は、前記フィルタの再生要求がある場合であって、かつ、内燃機関の運転領域が低負荷運転領域である場合には、複数のフィルタのうちの対象フィルタが設けられた排気通路における前記酸化触媒を活性化させるように、前記対象フィルタに対応する気筒群に対して前記燃料噴射装置から噴射される燃料の量を、他のフィルタに対応する気筒群に対して前記燃料噴射装置から噴射される燃料の量よりも多くする偏差噴射処理を行なう、内燃機関の排気浄化システム。
【請求項２】
前記制御装置は、前記内燃機関の運転状態に応じて前記内燃機関に供給すべき燃料の量である供給燃料量を決定し、前記供給燃料量に対する、前記対象フィルタに対応する気筒群に対して噴射される燃料の量の割合が前記他のフィルタに対応する気筒群に対して噴射される燃料の量の割合よりも大きくなるように前記複数の燃料噴射装置を制御する、請求項１に記載の内燃機関の排気浄化システム。
【請求項３】
前記制御装置は、前記複数のフィルタのうちの前記粒子状物質の堆積量が最も多いフィルタを前記対象フィルタに設定する、請求項１または２に記載の内燃機関の排気浄化システム。
【請求項４】
前記制御装置は、前記内燃機関の運転領域が低負荷運転領域であって、かつ、前記複数の排気通路のそれぞれを流れる排気の温度がしきい値よりも低い場合に、前記偏差噴射処理を行ない、前記内燃機関の運転領域が低負荷運転領域であって、かつ、前記複数の排気通路のそれぞれを流れる排気の温度が前記しきい値よりも高い場合に、前記複数の気筒群に対して同量の燃料を噴射する同量噴射処理を行なうように前記複数の燃料噴射装置を制御する、請求項１〜３のいずれかに記載の内燃機関の排気浄化システム。
【請求項５】
前記制御装置は、前記偏差噴射処理を行なう場合に、前記気筒群毎の出力トルクの差が小さくなるように、前記他のフィルタに対応する気筒群に対する前記燃料噴射装置において燃料の噴射態様を変更する、請求項１〜４のいずれかに記載の内燃機関の排気浄化システム。
【発明の詳細な説明】
【技術分野】
【０００１】
本発明は、内燃機関の排気浄化システムに関し、より詳しくは、内燃機関の排気浄化装置における排気に含まれる粒子状物質を捕集するためのフィルタを再生させる際の内燃機関の排気温度を制御する技術に関する。
【背景技術】
【０００２】
ディーゼルエンジン等の内燃機関においては、その排気経路上に、内燃機関から排出される排気を浄化するための排気浄化装置が設けられる。排気浄化装置は、たとえば、排気に含まれる粒子状物質（ＰＭ：Particulate  Matter）を捕集するＰＭ除去フィルタと、その上流に配置される酸化触媒(ＤＯＣ：Diesel  Oxidation  Catalyst)と、排気に燃料を添加する燃料添加装置とを含んで構成される。ＰＭ除去フィルタで捕集されるＰＭの量、すなわちＰＭ堆積量が多くなると、フィルタが目詰まりを起こして排気の圧損が増加する。このため、ＰＭ堆積量が所定値以上となるとＰＭ除去フィルタを昇温させることによってＰＭ除去フィルタに堆積したＰＭを燃焼除去する、所謂、ＰＭ除去フィルタの再生が行なわれる。
【０００３】
ＰＭ除去フィルタの再生では、ＰＭ除去フィルタの上流に設けられた酸化触媒が活性温度以上になると、燃料添加装置から排気に燃料が添加される。排気に添加された燃料は酸化触媒において反応し、その反応熱によって排気の温度がＰＭ除去フィルタの再生が可能な温度にまで昇温する。そして、高温となった排気がＰＭ除去フィルタに流れることで、ＰＭ除去フィルタの温度が高温となり、ＰＭ除去フィルタに堆積するＰＭが燃焼除去される。
【０００４】
ところで、左右バンクを有するＶ型のディーゼルエンジンにおいては、２本の排気管がエンジン本体に並列的に接続される場合がある。この場合、２本の排気管の各々において、酸化触媒とＰＭ除去フィルタとがこの順に設けられる。そして、ＰＭ除去フィルタの再生が行なわれる場合には、２本の排気管のそれぞれに設けられた酸化触媒が活性化温度以上になると各排気管において燃料の添加が実行され、添加された燃料が各酸化触媒で反応することで排気温度が高温となり、ＰＭ除去フィルタに堆積するＰＭが燃焼除去される。
【０００５】
たとえば、特開２００７−５６７５６号公報（特許文献１）には、Ｖ型エンジンに接続される２本の排気管の各々に設けられる排気浄化装置を昇温する技術が開示される。
【先行技術文献】
【特許文献】
【０００６】
【特許文献１】特開２００７−５６７５６号公報
【発明の概要】
【発明が解決しようとする課題】
【０００７】
しかしながら、アイドル運転のような低負荷領域での内燃機関の使用が頻繁になると、内燃機関から排出される排気の温度が低くなって酸化触媒がなかなか活性化温度まで上昇しないので、燃料を排気に添加してＰＭ除去フィルタの再生を実行する機会が少なくなってしまう。その結果、再生完了までに要する時間が長くなり、再生制御において排気に添加される燃料の量が多くなって燃費が悪化する。また、再生がなかなか実行されないことで、ＰＭ除去フィルタへのＰＭ堆積量が過大になって排気の圧損が増加し、エンジン性能を悪化させてしまうという虞がある。なお、排気絞り弁の追加設定やバルブタイミング調整装置の追加採用等によって、内燃機関の低負荷域での使用が頻繁になったとしても排気温度を酸化触媒の活性化温度以上にするという方法も考えられるが、追加部品を設けることになってしまう。
【０００８】
本発明は、上述した課題を解決するためになされたものであって、その目的は、複数の排気通路のそれぞれにフィルタと酸化触媒が設けられた内燃機関の排気浄化装置において、低負荷領域での運転が続くような場合であっても、部品を追加することなく、少なくとも一つの排気通路で酸化触媒を活性化させてフィルタの再生を可能とする内燃機関の排気浄化システムを提供することである。
【課題を解決するための手段】
【０００９】
この発明のある局面に係る内燃機関の排気浄化システムは、エンジン本体に設けられる複数の気筒群にそれぞれ接続される互いに独立した複数の排気通路と、複数の排気通路のそれぞれに設けられ、排気通路内を流通する排気に含まれる粒子状物質を捕集するフィルタと排気の流れに対してフィルタよりも上流側に設けられる酸化触媒とを有する排気浄化装置と、複数の気筒群のそれぞれに燃料を噴射する複数の燃料噴射装置と、複数の燃料噴射装置を制御する制御装置とを備える。制御装置は、フィルタの再生要求がある場合であって、かつ、内燃機関の運転領域が低負荷運転領域である場合には、複数のフィルタのうちの対象フィルタが設けられた排気通路における酸化触媒を活性化させるように、対象フィルタに対応する気筒群に対して燃料噴射装置から噴射される燃料の量を、他のフィルタに対応する気筒群に対して燃料噴射装置から噴射される燃料の量よりも多くする偏差噴射処理を行なう。
【００１０】
このようにすると、内燃機関の低負荷運転領域においては、対象フィルタに対応する気筒群への燃料の噴射量が他のフィルタに対応する気筒群への燃料の噴射量よりも多くなるため、対象フィルタが設けられる排気通路を流通する排気の温度を上昇させることができる。そのため、対象フィルタより上流側に設けられた酸化触媒を活性化させることができる。その結果、対象フィルタの再生の機会が増えるので、対象フィルタの再生を早期に完了させることができる。
【００１１】
好ましくは、制御装置は、内燃機関の運転状態に応じて内燃機関に供給すべき燃料の量である供給燃料量を決定し、供給燃料量に対する、対象フィルタに対応する気筒群に対して噴射される燃料の量の割合が他のフィルタに対応する気筒群に対して噴射される燃料の量の割合よりも大きくなるように複数の燃料噴射装置を制御する。
【００１２】
このようにすると、対象フィルタの温度を再生可能な温度範囲内に速やかに昇温させるとともに、決定された供給燃料量を超えて燃料が供給されることが抑制されるため、燃費の悪化を抑制することができる。
【００１３】
さらに好ましくは、制御装置は、複数のフィルタのうちの粒子状物質の堆積量が最も多いフィルタを対象フィルタに設定する。
【００１４】
このようにすると、粒子状物質の堆積量の多い対象フィルタよりも上流側に設けられた酸化触媒を活性化させることができる。そのため、対象フィルタの温度を再生可能な温度範囲内に速やかに昇温させることが可能となる。その結果、対象フィルタの再生の機会が増えるので、対象フィルタの再生を早期に完了させることができる。
【００１５】
さらに好ましくは、制御装置は、内燃機関の運転領域が低負荷運転領域であって、かつ、複数の排気通路のそれぞれを流れる排気の温度がしきい値よりも低い場合に、偏差噴射処理を行ない、内燃機関の運転領域が低負荷運転領域であって、かつ、複数の排気通路のそれぞれを流れる排気の温度がしきい値よりも高い場合に、複数の気筒群に対して同量の燃料を噴射する同量噴射処理を行なうように複数の燃料噴射装置を制御する。
【００１６】
このようにすると、排気の温度がしきい値よりも低い場合には、偏差噴射処理が行なわれることによって対象フィルタより上流側に設けられた酸化触媒を活性化させることができる。そのため、対象フィルタの温度を再生可能な温度範囲内に速やかに昇温させることが可能となる。一方、排気の温度がしきい値よりも高い場合には、同量噴射処理が行なわれることによって複数のフィルタより上流側にそれぞれ設けられた複数の酸化触媒を活性化させることができる。そのため、複数のフィルタの温度を再生可能な温度範囲内に昇温させることが可能となる。
【００１７】
さらに好ましくは、制御装置は、偏差噴射処理を行なう場合に、気筒群毎の出力トルクの差が小さくなるように、他のフィルタに対応する気筒群に対する燃料噴射装置において燃料の噴射態様を変更する。
【００１８】
このようにすると、対象フィルタに対応する気筒群に対する燃料噴射量と他のフィルタに対応する気筒群に対する燃料の噴射量とが異なる場合にも、噴射態様を変更することによって内燃機関の出力トルクに変動が生じないようにすることが可能となる。
【発明の効果】
【００１９】
この発明によると、複数の排気通路のそれぞれにフィルタと酸化触媒が設けられた内燃機関の排気浄化装置において、低負荷領域での運転が続くような場合であっても、部品を追加することなく、少なくとも一つの排気通路で酸化触媒を活性化させてフィルタの再生を可能とする内燃機関の排気浄化システムを提供することができる。
【図面の簡単な説明】
【００２０】
【図１】エンジンの構成を示す図である。
【図２】制御装置で実行される制御処理を示すフローチャートである。
【図３】低負荷運転領域を説明するための図である。
【図４】制御装置で実行される偏差噴射処理を示すフローチャートである。
【図５】両方のバンクから排出される排気の温度および両方のＰＭ除去フィルタの温度の変化を示すタイミングチャートである。
【図６】両バンクに対する燃料の噴射量の差を説明するための図である。
【発明を実施するための形態】
【００２１】
以下、本発明の実施の形態について、図面を参照しながら詳細に説明する。なお、図中同一または相当部分には同一符号を付してその説明は繰返さない。
【００２２】
図１は、本実施の形態におけるエンジン１０の構成を示す図である。エンジン１０は、燃焼室内で燃料と空気の混合気を燃焼して作動する内燃機関である。エンジン１０は、たとえば、車両の駆動源として搭載される。本実施の形態においては、エンジン１０は、たとえば、Ｖ型８気筒のディーゼルエンジンである場合を一例として説明する。
【００２３】
エンジン１０は、エンジン本体１５と、第１排気通路１７と、第２排気通路１９と、図示しない吸気通路とを備える。エンジン本体１５は、第１バンク１１ａと第２バンク１１ｂとを含む。第１バンク１１ａには、４つの気筒から構成される気筒群が設けられる。また、第２バンク１１ｂにも、４つの気筒から構成される気筒群が設けられる。各気筒には、図示しない吸気ポートと排気ポートとが接続される。
【００２４】
第１バンク１１ａには、第１燃料噴射装置１３ａが設けられる。第１燃料噴射装置１３ａは、制御装置１００から送信される制御信号に応じて第１バンク１１ａに設けられた気筒群の各気筒に対して燃料の供給動作を行なう複数のインジェクタを含む。インジェクタからの燃料の噴射量は、たとえば、インジェクタの開弁時間によって制御される。
【００２５】
第１排気通路１７は、第１エキゾーストマニホールド１２と、第１過給機１６のタービンと、第１排気管２０とによって構成される。第１排気管２０には、第１排気浄化装置２３が設けられる。第１排気浄化装置２３は、第１排気温度センサ３６と、第１酸化触媒２４と、第１ＰＭ除去フィルタ２８と、第１燃料添加装置３２とを含む。
【００２６】
第１バンク１１ａの各気筒に接続される排気ポートには、第１エキゾーストマニホールド１２が接続される。第１エキゾーストマニホールド１２は、第１バンク１１ａの各気筒の排気ポートに接続されるヘッダーパイプと、複数のヘッダーパイプを集合させるコレクターとを有する。第１エキゾーストマニホールド１２のコレクターの出口部は、第１過給機１６に接続される。第１エキゾーストマニホールド１２のコレクターの出口部の近傍には、排気に燃料を添加するための第１燃料添加装置３２が設けられる。第１燃料添加装置３２は、制御装置１００によって制御される制御弁を含む。第１燃料添加装置３２の制御弁が開弁することによって、第１エキゾーストマニホールド１２内を流れる排気に燃料が添加される。燃料の添加量は、たとえば、制御弁の開弁する時間によって制御される。
【００２７】
第１過給機１６は、タービンとコンプレッサとを有する。第１過給機１６のコンプレッサの流入口には、外部から吸入された空気が流通する吸気通路（図示せず）が接続される。第１過給機１６のコンプレッサの流出口には、インタークーラ（図示せず）を介してエンジン１０のインテークマニホールド（図示せず）に接続される。インテークマニホールドは、分岐して第１バンク１１ａおよび第２バンク１１ｂの各気筒の吸気ポートに接続される。第１過給機１６のタービンの流入口には、第１エキゾーストマニホールド１２のコレクターの出口部が接続される。第１過給機１６のタービンの流出口には、第１排気管２０の一方端が接続される。
【００２８】
第１排気温度センサ３６は、第１過給機１６のタービン通過後の第１排気管２０内の排気の温度を検出する。第１排気温度センサ３６は、検出された第１排気管２０内の排気の温度を示す信号を制御装置１００に送信する。
【００２９】
第１ＰＭ除去フィルタ２８は、第１排気管２０を流通する排気中のＰＭを捕集する。第１ＰＭ除去フィルタ２８は、たとえば、セラミックやステンレス等によって形成される。捕集されたＰＭは、第１ＰＭ除去フィルタ２８に堆積することとなる。
【００３０】
上述の第１燃料添加装置３２と第１酸化触媒２４とは、第１ＰＭ除去フィルタ２８に堆積したＰＭを燃焼させ、除去する（再生する）再生機構として機能する。第１酸化触媒２４は、排気の流れに対して第１ＰＭ除去フィルタ２８の上流側に設けられる。第１酸化触媒２４は、排気が通過することを許容し、通過する排気中の窒素酸化物（ＮＯｘ）および炭素酸化物（ＣＯｘ）などを酸化するとともに、第１燃料添加装置３２から供給された燃料を酸化する。燃料の酸化に伴う反応熱によって第１酸化触媒２４を通過する排気の温度が上昇する。第１酸化触媒２４で昇温されて高温になった排気が第１ＰＭ除去フィルタ２８を通過することによって第１ＰＭ除去フィルタ２８に堆積したＰＭが酸化除去される（燃焼させられる）。これにより第１ＰＭ除去フィルタ２８が再生される。
【００３１】
なお、第２バンク１１ｂ、第２燃料噴射装置１３ｂ、第２エキゾーストマニホールド１４、第２過給機１８、第２排気通路１９、第２排気管２２、第２排気浄化装置２５、第２酸化触媒２６、第２ＰＭ除去フィルタ３０、第２燃料添加装置３４、第２排気温度センサ３８は、第１バンク１１ａ、第１燃料噴射装置１３ａ、第１エキゾーストマニホールド１２、第１過給機１６、第１排気通路１７、第１排気管２０、第１排気浄化装置２３、第１酸化触媒２４、第１ＰＭ除去フィルタ２８、第１燃料添加装置３２、第１排気温度センサ３６とそれぞれ同様の構成であり、同様の機能を有する。そのため、その詳細な説明は繰り返さない。
【００３２】
エンジン１０の動作時に生じる排気の経路としては、第１バンク１１ａに設けられる各気筒の排気ポートから第１エキゾーストマニホールド１２および第１過給機１６を経由して第１排気管２０を流通する経路と、第２バンク１１ｂに設けられる各気筒の排気ポートから第２エキゾーストマニホールド１４および第２過給機１８を経由して第２排気管２２を流通する経路とがある。
【００３３】
エンジン１０の動作は、制御装置１００によって制御される。制御装置１００は、プログラムおよびデータを記憶するＲＯＭ（Read  Only  Memory）と、各種処理を行なうＣＰＵ（Central  Processing  Unit）と、ＣＰＵの処理結果等を記憶するＲＡＭ（Random  Access  Memory）と、外部との情報のやり取りを行なう入・出力ポート（いずれも図示せず）とを含む。入力ポートには、上述したセンサ類（たとえば、第１排気温度センサ３６および第２排気温度センサ３８等）が接続される。出力ポートには、制御対象となる機器（たとえば、第１燃料噴射装置１３ａ、第２燃料噴射装置１３ｂ、第１燃料添加装置３２および第２燃料添加装置３４等）が接続される。
【００３４】
制御装置１００は、入力ポートに接続された各機器から信号を受信し、受信した信号に基づいて出力ポートに接続された各機器に制御信号を送信することによって出力ポートに接続された各機器を制御する。制御装置１００は、たとえば、アクセルペダルの踏み込み量（以下、アクセル開度と記載する）および車両の速度等に基づいてエンジンの運転状態を予測し、そのエンジンの運転状態に基づいて１サイクル当たりの第１燃料噴射装置１３ａからの１気筒当りの燃料噴射量と、第２燃料噴射装置１３ｂからの１気筒当りの燃料噴射量とを設定する。そして、制御装置１００は、設定された燃料噴射量に基づいて第１燃料噴射装置１３ａおよび第２燃料噴射装置１３ｂを制御する。本実施の形態における内燃機関の排気処理システムは、第１燃料噴射装置１３ａと、第２燃料噴射装置１３ｂと、第１排気通路１７と、第２排気通路１９と、第１排気浄化装置２３と、第２排気浄化装置２５と、制御装置１００とによって構成される。
【００３５】
以上のような構成を有するエンジン１０においては、第１ＰＭ除去フィルタ２８および第２ＰＭ除去フィルタ３０におけるＰＭの堆積量が多くなると、フィルタ部分が目詰まりを起こし排気の圧損が大きくなってエンジン性能が低下する場合がある。そのため、制御装置１００は、第１ＰＭ除去フィルタ２８および第２ＰＭ除去フィルタ３０を再生するための再生制御を実行する。
【００３６】
より具体的には、制御装置１００は、第１ＰＭ除去フィルタ２８により捕集されたＰＭの第１堆積量ＰＭ（１）を取得する。制御装置１００は、たとえば、エンジン１０の運転条件（たとえば、エンジン回転数や第１バンク１１ａに設けられる気筒群への燃料噴射量や吸入空気量等）から第１バンク１１ａの気筒群からのＰＭの排出量の推定値を算出する。制御装置１００は、算出された推定値を積算することによって第１堆積量ＰＭ（１）を取得する。同様に、制御装置１００は、第２ＰＭ除去フィルタ３０により捕集されたＰＭの第２堆積量ＰＭ（２）を取得する。なお、ＰＭの排出量の具体的な算出方法については周知の技術を用いればよくその詳細な説明は行なわない。
【００３７】
制御装置１００は、第１堆積量ＰＭ（１）および第２堆積量ＰＭ（２）のうちの少なくともいずれかがしきい値を超える場合に、再生モードフラグをオン状態にして、第１ＰＭ除去フィルタ２８および第２ＰＭ除去フィルタ３０の再生を行なうための再生制御を実行する。
【００３８】
このとき、制御装置１００は、各排気通路に配置された第１酸化触媒や第２酸化触媒の温度が活性温度以上であると判断した場合に、第１燃料添加装置３２または第２燃料添加装置３４から燃料添加を開始する。制御装置１００は、たとえば第１ＰＭ除去フィルタ２８および第２ＰＭ除去フィルタ３０の温度がそれぞれ目標温度となるような燃料の添加量を設定し、設定された燃料の添加量に従って第１燃料添加装置３２および第２燃料添加装置３４を制御する。
【００３９】
上述のような再生制御により、第１ＰＭ除去フィルタ２８では、第１燃料添加装置３２から排気に燃料が添加され、添加された燃料が第１酸化触媒２４で反応し、その反応熱によって排気が昇温する。そして、高温となった排気が第１ＰＭ除去フィルタ２８に流れることによって、第１ＰＭ除去フィルタ２８の温度が、第１ＰＭ除去フィルタ２８の再生が可能な温度範囲内の目標温度まで昇温し、第１ＰＭ除去フィルタ２８内のＰＭが燃焼される。制御装置１００は、第１ＰＭ除去フィルタ２８の温度が目標温度を維持した状態で所定時間が経過した場合に、第１ＰＭ除去フィルタ２８の再生が完了したと判定する。
【００４０】
第２ＰＭ除去フィルタ３０では、第２燃料添加装置３４から排気に燃料が添加され、添加された燃料が第２酸化触媒２６で反応し、その反応熱によって排気が昇温する。そして、高温となった排気が第２ＰＭ除去フィルタ３０に流れることによって、第２ＰＭ除去フィルタ３０の温度が目標温度まで昇温し、第２ＰＭ除去フィルタ３０内のＰＭが燃焼される。制御装置１００は、第２ＰＭ除去フィルタ３０の温度が目標温度を維持した状態で所定時間が経過した場合に、第２ＰＭ除去フィルタ３０の再生が完了したと判定する。
【００４１】
しかしながら、アイドル運転のような低負荷領域での内燃機関の使用が頻繁になると、エンジン１０から排出される排気の温度が低くなって第１酸化触媒２４や第２酸化触媒２６がなかなか活性化温度まで上昇しないので、燃料を排気に添加してＰＭ除去フィルタの再生を実行する機会が少なくなってしまう。その結果、再生完了までに要する時間が長くなり、再生制御において排気に添加される燃料の量が多くなって燃費が悪化する。また、再生がなかなか実行されないことで、ＰＭ除去フィルタへのＰＭ堆積量が過大になって排気の圧損が増加し、エンジン性能を悪化させてしまうという虞がある。なお、排気絞り弁の追加設定やバルブタイミング調整装置の追加採用等によって、エンジン１０の低負荷域での使用が頻繁になったとしても排気の温度を酸化触媒の活性化温度以上にするという方法も考えられるが、追加部品を設けることになってしまう。
【００４２】
そこで、本実施の形態においては、制御装置１００は、第１ＰＭ除去フィルタ２８および第２ＰＭ除去フィルタ３０の再生要求がある場合であって、かつ、エンジン１０の運転領域が低負荷運転領域である場合には、複数のフィルタのうちの対象フィルタが設けられた排気通路における酸化触媒を活性化させるように、対象フィルタに対応する気筒群に対して燃料噴射装置から噴射される燃料の量を、他のフィルタに対応する気筒群に対して燃料噴射装置から噴射される燃料の量よりも多くする偏差噴射処理を行なう。
【００４３】
このようにすると、エンジン１０の低負荷運転領域においては、少なくとも対象フィルタが設けられる排気通路を流通する排気の温度を上昇させることができる。そのため、排気の流れに対して対象フィルタよりも上流側に設けられる酸化触媒を活性化させることができる。その結果、燃料添加の実行機会が増えて、低負荷運転領域であってもフィルタの再生制御を実行することができる。なお、本実施の形態において「対象フィルタ」は、第１ＰＭ除去フィルタ２８および第２ＰＭ除去フィルタ３０のうちのいずれか一方に対応し、「他のフィルタ」は、第１ＰＭ除去フィルタ２８および第２ＰＭ除去フィルタ３０のうちのいずれか他方に対応し、「気筒群」は、第１バンク１１ａに設けられる気筒群および第２バンク１１ｂに設けられる気筒群のうちのいずれかに対応する。
【００４４】
図２を参照して、本実施の形態における制御装置１００で実行される制御処理について説明する。図２は、制御装置１００で実行される制御処理を示すフローチャートである。
【００４５】
ステップ（以下、ステップをＳと記載する）１００にて、制御装置１００は、再生モード中であるか否かを判定する。制御装置１００は、たとえば、上述の再生モードフラグがオン状態である場合に、再生モード中である（すなわち、フィルタの再生要求がある）と判定する。再生モード中であると判定される場合（Ｓ１００にてＹＥＳ）、処理はＳ１０２に移される。
【００４６】
Ｓ１０２にて、制御装置１００は、エンジン１０の運転領域が低負荷運転領域であるか否かを判定する。
【００４７】
制御装置１００は、たとえば、エンジン１０に対する出力要求値と、エンジン１０の回転数（以下、エンジン回転数と記載する）とに基づいてエンジン１０の運転領域が低負荷運転領域であるか否かを判定する。
【００４８】
具体的には、制御装置１００は、たとえば、出力要求値としてのアクセル開度と、エンジン回転数とが図３に示す斜線の領域内である場合にエンジン１０の運転領域が低負荷領域であると判定する。制御装置１００は、たとえば、アクセルペダルのストローク量を検出するセンサ（図示せず）からの検出信号を用いてアクセル開度を取得する。また、制御装置１００は、たとえば、エンジン１０のクランク角を検出するセンサ（図示せず）からの検出信号を用いてエンジン回転数を取得する。
【００４９】
図３は、低負荷運転領域を説明するための図である。図３の縦軸は、アクセル開度を示す。図３の横軸は、エンジン回転数を示す。図３に示す低負荷運転領域としては、境界線と縦軸と横軸とによって囲まれる領域が設定される。
【００５０】
この境界線は、エンジン回転数が増加するほどアクセル開度が減少する所定の傾きを有する直線によって設定される。また、境界線は、たとえば、図３のグラフにおけるアクセル開度がゼロのときにエンジン回転数がＮｅ（０）となる位置と、アクセル開度がＡＣＣ（０）のときにエンジン回転数がゼロとなる位置とを結ぶ直線によって設定される。
【００５１】
エンジン１０の運転領域が低負荷運転領域であると判定される場合（Ｓ１０２にてＹＥＳ）、処理はＳ１０４に移される。
【００５２】
Ｓ１０４にて、制御装置１００は、排気の温度がしきい値以下であるか否かを判定する。しきい値は、たとえば、後述する同量噴射処理が継続すると、排気の温度が第１ＰＭ除去フィルタ２８および第２ＰＭ除去フィルタ３０の温度を目標温度まで昇温させることが困難となる温度であるか否かを判定するための値であって、たとえば、第１酸化触媒２４および第２酸化触媒２６が活性化する温度よりも高い値（酸化触媒の活性温度に対してマージンを持たせた値）である。しきい値は、実験等により適合される。
【００５３】
制御装置１００は、第１排気温度センサ３６により検出される排気の温度と、第２排気温度センサ３８により検出される排気の温度とのうちのいずれか小さい方の温度がしきい値以下である場合に、排気の温度がしきい値以下であると判定する。排気の温度がしきい値以下であると判定される場合（Ｓ１０４にてＹＥＳ）、処理はＳ１０６に移される。
【００５４】
Ｓ１０６にて、制御装置１００は、偏差噴射処理を実行する。偏差噴射処理は、１サイクルにおける第１燃料噴射装置１３ａからの１気筒当りの噴射量と第２燃料噴射装置１３ｂからの１気筒当りの噴射量とを異ならせる処理である。偏差噴射処理の詳細については後述する。なお、再生モード中でないと判定される場合（Ｓ１００にてＮＯ）、処理は終了される。また、エンジン１０の運転領域が低負荷運転領域でないと判定される場合（Ｓ１０２にてＮＯ）、あるいは、排気の温度がしきい値よりも高いと判定される場合（Ｓ１０４にてＮＯ）、Ｓ１０６にて、制御装置１００は、同量噴射処理を実行する。同量噴射処理は、１サイクルにおける第１燃料噴射装置１３ａからの１気筒当りの噴射量と第２燃料噴射装置１３ｂからの１気筒当りの噴射量とを同量（通常値）にする処理である。
【００５５】
次に図４を参照して、偏差噴射処理について説明する。図４は、制御装置１００で実行される偏差噴射処理を示すフローチャートである。
【００５６】
Ｓ２００にて、制御装置１００は、第１ＰＭ除去フィルタ２８におけるＰＭの第１堆積量ＰＭ（１）を取得する。制御装置１００は、たとえば、第１バンク１１ａからのＰＭの排出量をエンジン１０の運転を開始した時点からあるいは前回の第１ＰＭ除去フィルタ２８の再生が完了した時点から１サイクル毎に積算していくことによって第１堆積量ＰＭ（１）を更新し、メモリ等に記憶する。制御装置１００は、メモリ等から第１堆積量ＰＭ（１）を取得する。ＰＭの排出量の算出方法は、上述したとおりであるためその詳細な説明を繰り返さない。
【００５７】
Ｓ２０２にて、制御装置１００は、第２ＰＭ除去フィルタ３０におけるＰＭの第２堆積量ＰＭ（２）を取得する。制御装置１００は、たとえば、第２バンク１１ｂからＰＭの排出量をエンジン１０の運転を開始した時点からあるいは前回の第２ＰＭ除去フィルタ３０の再生が完了した時点から１サイクル毎に積算していくことによって第２堆積量ＰＭ（２）を更新し、メモリ等に記憶する。制御装置１００は、メモリ等から第２堆積量ＰＭ（１）を取得する。
【００５８】
Ｓ２０４にて、制御装置１００は、第１燃料噴射装置１３ａおよび第２燃料噴射装置１３ｂを用いた噴射態様を設定する。
【００５９】
具体的には、制御装置１００は、第１堆積量ＰＭ（１）および第２堆積量ＰＭ（２）のうちのいずれか大きい一方のＰＭ除去フィルタ（すなわち、「対象フィルタ」に対応）に対応する気筒群に噴射される燃料量を他方のＰＭ除去フィルタに対応する気筒群に噴射される燃料量よりも多くして、対象フィルタが配置された排気通路における酸化触媒を活性化させるように１サイクルにおける第１燃料噴射装置１３ａからの第１噴射量と第２燃料噴射装置１３ｂの第２噴射量とを設定する。
【００６０】
制御装置１００は、たとえば、第１堆積量ＰＭ（１）が第２堆積量ＰＭ（２）よりも多い場合には、第１噴射量を、第１排気管を流れる排気の温度が第１酸化触媒を活性化させるような温度となる噴射量であって、かつ、第２噴射量よりも多い噴射量に設定する。また、制御装置１００は、たとえば、第２堆積量ＰＭ（２）が第１堆積量ＰＭ（１）よりも多い場合には、第２噴射量を、第２排気管を流れる排気の温度が第２酸化触媒を活性化させるような温度となる噴射量であって、かつ、第１噴射量よりも多い噴射量に設定する。
【００６１】
制御装置１００は、たとえば、第１噴射量と第２噴射量との総量を維持しつつ、総量に対する割合を変化させて、ＰＭの堆積量の大きい一方のＰＭ除去フィルタに対応する噴射量（以下、増量側の噴射量とも記載する）を他方のＰＭ除去フィルタに対応する噴射量（以下、減量側の噴射量とも記載する）よりも多くなるように第１噴射量および第２噴射量を設定する。制御装置１００は、第１噴射量の通常値（第１噴射量と第２噴射量とを同量とする場合の第１噴射量）と第２噴射量の通常値とを加算した値を総量として取得する。この総量は、上述したとおり、アクセル開度や車両の速度等に基づいて設定される供給燃料量である。
【００６２】
制御装置１００は、たとえば、通常値よりも所定量だけ増加させた値を増量側の噴射量として設定し、通常値よりも所定量だけ減少させた値を減量側の噴射量として設定してもよい。
【００６３】
あるいは、制御装置１００は、制御装置１００は、第１噴射量と第２噴射量との総量に第１係数α（０．５＜α＜１．０）を乗算した値を増量側の噴射量とし、総量に第２係数β（＝１−α）を乗算した値を減量側の噴射量として設定してもよい。
【００６４】
Ｓ２０６にて、制御装置１００は、燃料噴射制御を実行する。制御装置１００は、たとえば、１サイクル中の所定のタイミングにおいて、設定された第１噴射量に対応する噴射時間が経過するまでインジェクタが開弁し、噴射時間を経過後にインジェクタが閉弁するように第１燃料噴射装置１３ａを制御する。
【００６５】
同様に、制御装置１００は、たとえば、１サイクル中の所定のタイミングにおいて、設定された第２噴射量に対応する噴射時間が経過するまでインジェクタが開弁し、噴射時間を経過後にインジェクタが閉弁するように第２燃料噴射装置１３ｂを制御する。
【００６６】
以上のような構造およびフローチャートに基づく本実施の形態に係る内燃機関であるエンジン１０を制御する制御装置１００の動作について図５および図６を参照しつつ説明する。
【００６７】
図５は、両方のＰＭ除去フィルタにそれぞれ流入する排気の温度および両方のＰＭ除去フィルタの温度の変化を示すタイミングチャートである。図５の上段のグラフの縦軸は、第１ＰＭ除去フィルタ２８および第２ＰＭ除去フィルタ３０にそれぞれ流入する排気の温度を示し、図５の上段のグラフの横軸は、時間を示す。さらに、図５の下段のグラフの縦軸は、第１ＰＭ除去フィルタ２８および第２ＰＭ除去フィルタ３０のそれぞれの温度を示し、図５の下段のグラフの横軸は、時間を示す。なお、図５における排気の温度Ｔｇａｓ（０）が図２における排気の温度のしきい値に対応する。
【００６８】
なお、図５の上段のグラフにおける実線は、偏差噴射処理が行なわれる場合の第１ＰＭ除去フィルタ２８に流入する排気の温度の変化を示す。図５の上段のグラフにおける破線は、偏差噴射処理が行なわれる場合の第２ＰＭ除去フィルタ３０に流入する排気の温度の変化を示す。図５の上段のグラフにおける一点鎖線は、同量噴射処理が行なわれる場合の第１ＰＭ除去フィルタ２８（あるいは、第２ＰＭ除去フィルタ３０）に流入する排気の温度の変化を示す。
【００６９】
また、図５の下段のグラフにおける実線は、偏差噴射処理が行なわれる場合の第１ＰＭ除去フィルタ２８の温度の変化を示す。図５の下段のグラフにおける破線は、偏差噴射処理が行なわれる場合の第２ＰＭ除去フィルタ３０の温度の変化を示す。図５の下段のグラフにおける一点鎖線は、同量噴射処理が行なわれる場合の第１ＰＭ除去フィルタ２８（あるいは、第２ＰＭ除去フィルタ３０）の温度の変化を示す。
【００７０】
また、図６は、両バンクにおける燃料の噴射量を説明するための図である。図６の横軸は、バンクを示し、図６の縦軸は、排気の温度を示す。
【００７１】
たとえば、第１堆積量ＰＭ（１）がしきい値を超えるなどして第１ＰＭ除去フィルタ２８および第２ＰＭ除去フィルタ３０を再生する再生制御が開始された場合を想定する。このとき、再生モードフラグがオン状態にされる（Ｓ１００にてＹＥＳ）。
【００７２】
時間ｔ（０）以前において、エンジン１０の運転領域が高負荷運転領域である場合や（Ｓ１０２にてＮＯ）、エンジン１０の運転領域が高負荷運転領域から車両が低速走行するなどして低負荷運転領域に移行した場合でも（Ｓ１０２にてＹＥＳ）、排気の温度がしきい値よりも高い場合には（Ｓ１０４にてＮＯ）、同量噴射処理が行なわれる（Ｓ１０８）。
【００７３】
このとき、第１燃料噴射装置１３ａおよび第２燃料噴射装置１３ｂからそれぞれ同量の噴射量Ａの燃料が第１バンク１１ａに設けられる気筒群および第２バンク１１ｂに設けられる気筒群に噴射されるものとする。
【００７４】
１サイクル中に第１燃料噴射装置１３ａおよび第２燃料噴射装置１３ｂから同量の燃料が噴射されることによって、排気の温度が実質的に同じ温度となる。排気の温度が第１酸化触媒２４および第２酸化触媒２６を活性化させることが可能な温度である場合には、排気への燃料添加が許可されて、添加された燃料による第１酸化触媒２４において生じる反応熱と第２酸化触媒２６において生じる反応熱とによって上昇した排気が第１ＰＭ除去フィルタ２８および第２ＰＭ除去フィルタ３０を流通する。その結果、第１ＰＭ除去フィルタ２８および第２ＰＭ除去フィルタ３０の温度が再生可能な温度範囲の下限値Ｔｄ（１）よりも高い温度Ｔｄ（０）で維持され、第１ＰＭ除去フィルタ２８および第２ＰＭ除去フィルタ３０の再生が行なわれる。
【００７５】
一方、エンジン１０の運転領域が低負荷運転領域に移行した後（Ｓ１０２にてＹＥＳ）、時間ｔ（０）にて、排気の温度がしきい値Ｔｇａｓ（０）以下になると（Ｓ１０４にてＹＥＳ）、偏差噴射処理が行なわれる（Ｓ１０６）。
【００７６】
偏差噴射処理が開始されると、第１堆積量ＰＭ（１）が取得され（Ｓ２００）、第２堆積量ＰＭ（２）が取得される（Ｓ２０２）。そして、第１堆積量ＰＭ（１）が第２堆積量ＰＭ（２）よりも大きい場合には、第１噴射量が第２噴射量よりも多く、かつ、第１酸化触媒の活性が維持されるような排気温度となるように第１噴射量および第２噴射量が設定される（Ｓ２０４）。その結果、図６に示すように、第１バンク１１ａの気筒群への第１噴射量は、通常値に対応する噴射量Ａよりも所定量だけ多い噴射量Ｂとなり、第２バンク１１ｂの気筒群への第２噴射量は、通常値に対応する噴射量Ａよりも所定量だけ少ない噴射量Ｃとなる。設定された第１噴射量および第２噴射量に基づいて燃料噴射制御が実行される（Ｓ２０６）。
【００７７】
第１噴射量が第２噴射量よりも多く、かつ、第１酸化触媒の活性が維持されるような排気温度となるように第１噴射量および第２噴射量が設定されるため、第１バンク１１ａに設けられる気筒群から排出される排気の温度は、第２バンク１１ｂに設けられる気筒群から排出される排気の温度よりも高くなる。その結果、図５の上段のグラフの実線に示すように、第１バンク１１ａに設けられる気筒群から排出される排気の温度が第１酸化触媒２４を活性化させることが可能な温度の下限値Ｔｇａｓ（１）よりも高い状態が維持される。そのため、第１酸化触媒２４において生じる反応熱によって排気の温度が上昇させられるため、図５の下段のグラフの実線に示すように、第１ＰＭ除去フィルタ２８の温度を再生可能な温度の下限値Ｔｄ（１）よりも高い温度Ｔｄ（０）で維持される。
【００７８】
これに対して、第２バンク１１ｂに設けられる気筒群から排出される排気の温度は、時間ｔ（１）にて、下限値Ｔｇａｓ（１）よりも低い状態になる。そのため、第２ＰＭ除去フィルタ３０の温度が再生可能な温度の下限値Ｔｄ（１）よりも低くなるため、第２ＰＭ除去フィルタ３０の再生は停止される。
【００７９】
なお、仮にこの偏差噴射処理が行なわれることに代えて同量噴射処理が継続される場合には、第１噴射量と第２噴射量とが同量となるように設定される。その結果、第１バンク１１ａに設けられる気筒群から排出される排気の温度も、第２バンク１１ｂに設けられる気筒群から排出される排気の温度もほぼ同じ温度となり、当該温度は、時間ｔ（２）にて、Ｔｇａｓ（１）よりも低い状態になる。そのため、第１ＰＭ除去フィルタ２８および第２ＰＭ除去フィルタ３０の温度は、いずれも再生可能な温度の下限値Ｔｄ（１）よりも低くなるため、第１ＰＭ除去フィルタ２８および第２ＰＭ除去フィルタ３０の両方の再生が停止される。
【００８０】
以上のようにして、本実施の形態に係る内燃機関によると、エンジン１０の低負荷運転領域においては、ＰＭ堆積量の多い一方の対象フィルタに対応する気筒群への燃料の噴射量が他のフィルタに対応する気筒群への燃料の噴射量よりも多くなるため、対象フィルタが設けられる排気通路を流通する排気の温度を上昇させることができる。そのため、対象フィルタよりも上流側に設けられる酸化触媒を活性化させることができる。その結果、対象フィルタの再生の機会が増えるので、対象フィルタの再生を早期に完了させることができる。したがって、複数の排気通路のそれぞれにフィルタと酸化触媒が設けられた内燃機関の排気浄化装置において、低負荷領域での運転が続くような場合であっても、部品を追加することなく、少なくとも一つの排気通路で酸化触媒を活性化させてフィルタの再生を可能とする内燃機関の排気浄化システムを提供することができる。
【００８１】
さらに、１サイクル当たりの第１噴射量と第２噴射量の総量（すなわち、エンジン１０の運転状態に応じて供給すべき燃料の量である供給燃料量）を維持しつつ、対象フィルタに対応する気筒群に噴射される燃料量の割合が他のフィルタに対応する気筒群よりも大きくなるように第１燃料噴射装置１３ａおよび第２燃料噴射装置１３ｂが制御される。そのため、対象フィルタの温度を再生可能な温度範囲内に速やかに昇温させるとともに、決定された供給燃料量を超えて燃料が供給されることが抑制されるため、燃費の悪化を抑制することができる。
【００８２】
さらに、第１ＰＭ除去フィルタ２８および第２ＰＭ除去フィルタ３０のうちの粒子状物質の堆積量が最も多いフィルタを対象フィルタに設定されるので、粒子状物質の堆積量の多い対象フィルタより上流側に設けられた酸化触媒を活性化させることができる。そのため、対象フィルタの温度を再生可能な温度範囲内に速やかに昇温させることが可能となる。その結果、対象フィルタの再生の機会が増えるので、対象フィルタの再生を早期に完了させることができる。
【００８３】
さらに、低負荷運転領域であって、かつ、排気の温度がしきい値よりも低い場合に、偏差噴射処理を行なわれるので、対象フィルタの温度を再生可能な温度範囲内に速やかに昇温させることが可能となる。また、低負荷運転領域であって、かつ、排気の温度がしきい値よりも高い場合に、同量噴射処理が行なわれるので、第１ＰＭ除去フィルタ２８および第２ＰＭ除去フィルタ３０の両方の温度を再生可能な温度範囲内に昇温させることが可能となる。
【００８４】
以下、変形例について説明する。
上述の実施の形態においては、堆積量の多い方のＰＭ除去フィルタを対象フィルタとしたが、特に堆積量の多い方に限定されるものではなく、再生が早期に完了する方、すなわち、堆積量の少ない方のＰＭ除去フィルタを対象フィルタとしてもよい。
【００８５】
さらに上述の実施の形態においては、第１エキゾーストマニホールド１２および第２エキゾーストマニホールド１４に第１燃料添加装置３２および第２燃料添加装置３４がそれぞれ設けられるものとして説明したが、たとえば、第１燃料噴射装置１３ａおよび第２燃料噴射装置１３ｂを用いたポスト噴射によって第１酸化触媒２４および第２酸化触媒２６に燃料を供給する構成であってもよい。
【００８６】
さらに上述の実施の形態においては、偏差噴射処理においては、１サイクル中の第１噴射量と第２噴射量との総量を維持しつつ、第１噴射量と第２噴射量として異なる値を設定するものとして説明したが、少なくとも対象フィルタに対応する気筒群に噴射される燃料量が他のフィルタに対応する気筒群に噴射される燃料量よりも多くなり、かつ、対象フィルタの上流側に設けられる酸化触媒の活性が維持されるような排気温度となればよく、特に総量を維持することに限定されるものではない。たとえば、通常値に対して所定量を加算して増量側の噴射量を設定し、減量側の噴射量として通常値を設定してもよいし、通常値に対して所定量を減算して減量側の噴射量を設定し、増量側の噴射量として通常値を設定してもよい。
【００８７】
さらに上述の実施の形態においては、エンジン本体１５の第１バンク１１ａおよび第２バンク１１ｂに２つの排気管が並列的に接続され、各排気管に燃料添加装置と酸化触媒とＰＭ除去フィルタとが搭載される場合を一例として説明したが、エンジン１０に並列的に接続される排気管、燃料添加装置およびＰＭ除去フィルタの数は２つに限定されるものではない。たとえば、エンジン本体１５には、３つ以上のバンクが形成され、各バンクに３つ以上の排気管が並列的に接続され、各排気管に燃料添加装置と酸化触媒とＰＭ除去フィルタとが搭載される構成であってもよい。
【００８８】
さらに上述の実施の形態においては、エンジン１０の運転条件に基づいてＰＭの堆積量を推定するものとして説明したが、たとえば、ＰＭ除去フィルタの上流側の圧力と下流側の圧力との差圧に基づいてＰＭ堆積量を推定してもよい。
【００８９】
さらに上述の実施の形態においては、エンジン１０の運転条件に基づいてＰＭの堆積量を推定するものとして説明したが、偏差噴射処理が行なわれる場合には、変更された第１噴射量および第２噴射量に基づいてＰＭの排出量が算出されることが望ましい。このようにすると、ＰＭの堆積量を精度高く推定することができる。
【００９０】
さらに上述の実施の形態においては、偏差噴射処理において、第１燃料噴射装置１３ａおよび第２燃料噴射装置１３ｂのうちのいずれか一方から各気筒に噴射される燃料噴射量は同一バンクの気筒間においては同量であるものとして説明したが、同一バンクにおいても気筒間で異なる量を設定してもよい。たとえば、片方のバンクに設けられる気筒のうちのエキゾーストマニホールドの出口部に近い等の排気の温度に与える影響が比較的大きい気筒に噴射される噴射量を増量あるいは減量してもよい。
【００９１】
さらに上述の実施の形態においては、対象フィルタに対応する気筒群への噴射量を増量するように偏差噴射処理を行なうものとして説明したが、たとえば、対象フィルタの再生が完了するまで偏差噴射処理を継続し（すなわち、増量側の噴射量および減量側の噴射量を固定し）、対象フィルタの再生が完了した後に他のフィルタに対応する気筒群への噴射量を増量するように偏差噴射処理を行なうようにしてもよい。
【００９２】
さらに上述の実施の形態においては、偏差噴射処理が行なわれる場合に、噴射態様として噴射量のみが異なる場合を一例として説明したが、たとえば、噴射量に加えて、噴射時期を変更してもよいし、あるいは、１サイクル中に多段噴射を行なう場合には、各噴射段階における噴射量および噴射時期を変更してもよい。たとえば、偏差噴射処理が行なわれる場合に、気筒群毎の出力トルクの差が小さくなるように他のフィルタに対応する気筒群に対する燃料の噴射態様を変更することによって、エンジン１０のトルク変動を抑制することができる。
【００９３】
なお、上記した変形例は、その全部または一部を組み合わせて実施してもよい。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９４】
１０  エンジン、１１ａ  第１バンク、１１ｂ  第２バンク、１２  第１エキゾーストマニホールド、１３ａ  第１燃料噴射装置、１３ｂ  第２燃料噴射装置、１４  第２エキゾーストマニホールド、１５  エンジン本体、１６  第１過給機、１７  第１排気通路、１８  第２過給機、１９  第２排気通路、２０  第１排気管、２２  第２排気管、２３  第１排気浄化装置、２４  第１酸化触媒、２５  第２排気浄化装置、２６  第２酸化触媒、３２  第１燃料添加装置、３４  第２燃料添加装置、３６  第１排気温度センサ、３８  第２排気温度センサ、１００  制御装置。
【図１】
2019019713.tif 000003
【図２】
2019019713.tif 000004
【図３】
2019019713.tif 000005
【図４】
2019019713.tif 000006
【図５】
2019019713.tif 000007
【図６】
2019019713.tif 000008